(57)【要約】【課題】  所望の車両情報を迅速に表示でき利便性の良い車両用表示装置を提供する。【解決手段】  車両に搭載され各種車両情報を表示する表示手段３と、操作者の押し圧操作に基づく信号を発する複数のスイッチ手段１と、スイッチ手段１からの信号に基づいて前記車両情報を切り換え表示するように促す制御信号を表示手段３に出力する制御手段２と、を備えてなる車両用表示装置であって、制御手段２は、表示手段３に表示可能な前記車両情報を複数のグループに関連付けて格納する記憶部を有し、所定のグループに関連付けされた車両情報以外の車両情報を表示手段３によって表示中であり、前記所定のスイッチ手段からの信号を入力した場合に、前記所定のグループに関連付けされた車両情報に切り換え表示するように促す制御信号を表示手段３に出力する。【選択図】  図１
2009143511.tif 000002
【特許請求の範囲】
【請求項１】
車両に搭載され各種車両情報を表示する表示手段と、
操作者の押し圧操作に基づく信号を発する複数のスイッチ手段と、
前記スイッチ手段からの信号に基づいて前記車両情報を切り換え表示するように促す制御信号を前記表示手段に出力する制御手段と、を備えてなる車両用表示装置であって、
前記制御手段は、前記表示手段に表示可能な前記車両情報を複数のグループに関連付けて格納する記憶部を有し、
所定のグループに関連付けされた前記車両情報を前記表示手段によって表示中であり、前記所定のグループに対応する所定のスイッチ手段からの信号を入力した場合に、前記所定のグループに関連付けされた車両情報において予め定められた順に従って、次なる車両情報を切り換え表示するように促す制御信号を前記表示手段に出力し、
所定のグループに関連付けされた車両情報以外の車両情報を前記表示手段によって表示中であり、前記所定のスイッチ手段からの信号を入力した場合に、前記所定のグループに関連付けされた車両情報に切り換え表示するように促す制御信号を前記表示手段に出力することを特徴とする車両用表示装置。
【請求項２】
前記制御手段は、前記表示手段によって所定のグループに関連付けされた車両情報以外の車両情報を表示中において、前記所定のスイッチ手段からの信号を入力した場合に、前記所定のグループに関連付けされた車両情報において予め定められた所定の車両情報を切り換え表示するように促す制御信号を前記表示手段に出力することを特徴とする請求項２に記載の車両用表示装置。
【発明の詳細な説明】
【技術分野】
【０００１】
本発明は、車両に搭載され各種車両情報を表示する表示手段を備えてなる車両用表示装置に関し、特に、操作者の押し圧操作に基づく信号を発する複数のスイッチ手段と、前記スイッチ手段からの信号に基づいて前記車両情報を切り換え表示するように促す制御信号を前記表示手段に出力する制御手段と、を備えてなる車両用表示装置に好適である。
【背景技術】
【０００２】
従来、車両用表示装置は、車両のインストルメントパネルにおいて、運転者が視認可能な前方位置に設けられている。この車両用表示装置は、車両の走行速度やエンジン回転数の他に、車両の積算走行距離を表示する総積算走行距離計（オドメータ）や区間走行距離計（トリップメータ）、外気温度計や燃費計などの車両情報を表示するための液晶ディスプレイを用いるものがあり、スイッチなどの入力手段（スイッチ手段）を用いて切り換え表示させることによって、複数の車両情報の項目を一箇所の表示位置に選択的に表示させるようにしたものがある（例えば、特許文献１に記載）。
【特許文献１】特開平７−１５６６９０号公報
【発明の開示】
【発明が解決しようとする課題】
【０００３】
しかしながら、上述した従来の車両用表示装置にあっては、多数種類の車両情報について表示させる場合には、運転者が所望の車両情報を表示させるまでに、液晶ディスプレイの表示を確認しながらスイッチを何度も操作しなくてはならない。特に、切り換え表示可能な車両情報の種類が多い場合には、この選択作業が煩雑なものになってしまうという問題があった。
【０００４】
そこで本発明の目的とするところは、上述した問題に着目してなされたものであって、所望の車両情報を迅速に表示でき利便性の良い車両用表示装置を提供することにある。
【課題を解決するための手段】
【０００５】
本発明の車両用表示装置は、請求項１に記載したように、車両に搭載され各種車両情報を表示する表示手段と、操作者の押し圧操作に基づく信号を発する複数のスイッチ手段と、前記スイッチ手段からの信号に基づいて前記車両情報を切り換え表示するように促す制御信号を前記表示手段に出力する制御手段と、を備えてなる車両用表示装置であって、前記制御手段は、前記表示手段に表示可能な前記車両情報を複数のグループに関連付けて格納する記憶部を有し、所定のグループに関連付けされた前記車両情報を前記表示手段によって表示中であり、前記所定のグループに対応する所定のスイッチ手段からの信号を入力した場合に、前記所定のグループに関連付けされた車両情報において予め定められた順に従って、次なる車両情報を切り換え表示するように促す制御信号を前記表示手段に出力し、所定のグループに関連付けされた車両情報以外の車両情報を前記表示手段によって表示中であり、前記所定のスイッチ手段からの信号を入力した場合に、前記所定のグループに関連付けされた車両情報に切り換え表示するように促す制御信号を前記表示手段に出力することを特徴とする。
【０００６】
また、請求項２に記載したように、請求項１に記載の車両用表示装置において、前記制御手段は、前記表示手段によって所定のグループに関連付けされた車両情報以外の車両情報を表示中において、前記所定のスイッチ手段からの信号を入力した場合に、前記所定のグループに関連付けされた車両情報において予め定められた所定の車両情報を切り換え表示するように促す制御信号を前記表示手段に出力することを特徴とする。
【発明の効果】
【０００７】
本発明は、車両に搭載され各種車両情報を表示する表示手段と、操作者の押し圧操作に基づく信号を発する複数のスイッチ手段と、前記スイッチ手段からの信号に基づいて前記車両情報を切り換え表示するように促す制御信号を前記表示手段に出力する制御手段と、を備えてなる車両用表示装置に関し、所望の車両情報を迅速に表示でき利便性の良い車両用表示装置となる。
【発明を実施するための最良の形態】
【０００８】
以下、本発明が適用された実施の形態について添付図面を用いて説明する。
【０００９】
本発明の車両用表示装置を車両に搭載される車両用計器に適用したものを例に挙げて説明する。車両用表示装置は、図１に示すように、スイッチ手段１と、制御手段２と、表示手段３と、から主に構成されている。なお、車両用計器は、この車両用表示装置の他に、エンジン回転数や走行速度を表示するための図示しない指針や文字板を用いた、所謂アナログ表示部を備えている。
【００１０】
スイッチ手段１は、表示手段３が表示している車両情報（表示内容）を操作者の押し圧操作に基づいて切り換えるための入力手段であり、後述するグループに対応するようにそれぞれ設けられる。スイッチ手段１は、操作者が操作可能な位置、例えば、インストルメントパネル、またはステアリングなどに設けられる。また、スイッチ手段１は、この場合、３つのグループに対応するように３つ設けられ（第１、第２、第３のスイッチ１１，１２，１３）、前記押し圧操作に応じた信号を制御手段２に出力する。
【００１１】
制御手段２は、例えば、マイクロコンピュータを適用でき、スイッチ手段１からの入力情報、または、図示しないがＣＡＮ（Ｃｏｎｔｒｏｌｌｅｒ  Ａｒｅａ  Ｎｅｔｗｏｒｋ）通信ケーブルを経由して別途車両に搭載されるＥＣＵからの走行速度などの各種情報（各種車両情報）を入力できるように接続される。
【００１２】
また、制御手段２は、スイッチ手段１からの信号や各種情報に基づいて演算処理するためのＣＰＵと、このＣＰＵにおける演算処理結果等を一時的に格納する読出し及び書換え可能なＲＡＭや、制御プログラムや制御データを格納したＲＯＭから構成される記憶部と、前記各種情報や制御信号やクロック信号などをやり取りするためにバス接続された入出力インターフェイスと、を備えている。なお、前記記憶部として、ＲＡＭやＲＯＭの他にＥＥＰＲＯＭやフラッシュメモリなどからなる書換え可能な不揮発性メモリを用いることができる。また、この場合、制御手段２は、表示手段３を駆動するための駆動ドライバや、前記アナログ表示部を制御する指針制御部を設けている。
【００１３】
表示手段３は、車両のインストルメントパネルに設けられる車両用計器内において、制御手段２からの制御信号に基づいて表示するものであり、例えば、液晶表示パネルやこの液晶表示パネルを駆動するドライバを適用できる。この場合、表示手段３は、総積算走行距離や区間走行距離、車両外気温度、燃費などをゲージや数値などで切り換え表示するものである。なお、表示手段３は、制御信号に応じて回動する指針と、この指針の指示対象となる目盛りや数値等の指標と、を液晶表示パネルに表現することもできる。
【００１４】
以下、制御手段２による処理について図２を用いて説明する。
【００１５】
制御手段２は、予め複数の車両情報を関連付けて複数のグループに設定しており、例えば、総積算走行距離（ＯＤＯ）と、区間走行距離（Ｔｒｉｐ）Ａと、区間走行距離Ｂと、を走行距離に関するグループＡとして関連付け、平均燃費値と、瞬間燃費値と、航続可能距離と、を燃費情報に関するグループＢとして関連付けて設定している。この場合、制御手段２は、表示設定に関するグループＣも用意している。
【００１６】
また、制御手段２は、これらのグループに対応するようにスイッチ手段１が用意されており、グループＡが第１のスイッチ、グループＢが第２のスイッチ、グループＣが第３のスイッチに対応するように設定されている。
【００１７】
また、制御手段２は、これらの設定とは別に、操作者によってスイッチ手段１が操作されたか否かをスイッチ手段１からの信号に基づいて判定する操作判定処理を行う。制御手段２は、この操作判定処理によって、第１〜第３のスイッチ１１〜１３のうち何れかのスイッチが押し圧操作されたのかを判別している。
【００１８】
制御手段２は、操作判定処理によって、第１〜第３のスイッチ１１〜１３のうち何れかのスイッチが押し圧操作された場合には、その押し圧されたスイッチと、現在表示手段３によって表示中の車両情報と、に基づいて、画面を切り換え表示する車両情報の項目について選択し、この選択された車両情報を表示するように表示手段３を制御する。
【００１９】
制御手段２は、この場合、所定のグループ（例えば、グループＡ）に関連付けされた車両情報（例えば、総積算走行距離）を表示手段３によって表示中であって、所定のグループに対応する所定のスイッチ手段（この場合、第１のスイッチ１１）からの信号を入力した場合に、所定のグループに関連付けされた車両情報において予め定められた順に従って、次なる車両情報（この場合、区間走行距離Ａ）を切り換え表示するように促す制御信号を表示手段３に出力する。
【００２０】
また、制御手段２は、表示手段３によって所定のグループ（例えば、グループＡ）に関連付けされた車両情報以外の車両情報（例えば、グループＢに関連づけされた平均燃費値）を表示中において、所定のスイッチ手段（この場合、第１のスイッチ）からの信号を入力した場合に、所定のグループに関連付けされた車両情報を切り換え表示するように促す制御信号を表示手段３に出力する。この際、制御手段２は、所定のグループに関連付けされた車両情報において予め定められた所定の車両情報（この場合、総積算走行距離）を切り換え表示するように促す制御信号を表示手段３に出力する。
【００２１】
以上の処理を繰り返すことによって、制御手段２は、操作者によるスイッチ手段１の押し圧操作に基づいて所望の車両情報が表示されるように表示手段３を制御することができる。
【００２２】
斯かる車両用表示装置は、車両に搭載され各種車両情報を表示する表示手段３と、操作者の押し圧操作に基づく信号を発する複数のスイッチ手段１と、スイッチ手段１からの信号に基づいて前記車両情報を切り換え表示するように促す制御信号を表示手段３に出力する制御手段２と、を備えてなる車両用表示装置であって、制御手段２は、表示手段３に表示可能な前記車両情報を複数のグループに関連付けて格納する記憶部を有し、所定のグループに関連付けされた前記車両情報を表示手段３によって表示中であり、前記所定のグループに対応する所定のスイッチ手段からの信号を入力した場合に、前記所定のグループに関連付けされた車両情報において予め定められた順に従って、次なる車両情報を切り換え表示するように促す制御信号を表示手段３に出力し、所定のグループに関連付けされた車両情報以外の車両情報を表示手段３によって表示中であり、前記所定のスイッチ手段からの信号を入力した場合に、前記所定のグループに関連付けされた車両情報に切り換え表示するように促す制御信号を表示手段３に出力する。
【００２３】
したがって、複数の車両情報を簡単かつ少ない押し圧操作によって切り換え表示することができ、所望の車両情報を迅速に表示でき利便性の良い車両用表示装置となる。
また、制御手段２は、表示手段３によって所定のグループに関連付けされた車両情報以外の車両情報を表示中において、前記所定のスイッチ手段１からの信号を入力した場合に、前記所定のグループに関連付けされた車両情報において予め定められた所定の車両情報を切り換え表示するように促す制御信号を表示手段３に出力することによって、操作者が少ないスイッチ手段１の操作回数によって所望の車両情報を表示させることができる。
【００２４】
なお、本発明の車両用表示装置を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。例えば、上述した実施の形態では、グループ間を移行して切り換え表示する際には、予め定められた車両情報（デフォルト項目）を表示するようにするものを例に挙げたが、表示していた車両情報について履歴を記憶部に格納し、前回表示していた車両情報に切り換え表示させることもできる。また、表示選択した時間などを履歴情報として記憶部に格納し、表示頻度の高いものを切り換え表示の対象とすることもでき、操作者による選択回数をより低減できる。また、所定時間以上押し圧操作したことや、一定時間以内に複数回操作したことなどを判定し、通常と異なる車両情報を選択し、この車両情報に切り換え表示させることもできる。
【図面の簡単な説明】
【００２５】
【図１】本発明の実施の形態の構成を示すブロック図。
【図２】同上実施の形態の表示画面の遷移を示すブロック図。
【符号の説明】
【００２６】
１  スイッチ手段
２  制御手段
３  表示手段
【図１】
2009143511.tif 000003
【図２】
2009143511.tif 000004